(57)【要約】【課題】  柔らかいボールの打感を維持しつつ、ボールに対する反発係数を向上させたパターヘッドを提供する。【解決手段】  パターヘッド１０のフェース部には、その中央領域に窪み１４が形成されており、この窪み内にフェースインサート２０が装着される。このフェースインサート２０は、０．０３０〜０．０５５の範囲の損失正接（ｔａｎδ）を有する材料によって５０〜６３の範囲のショアＤ硬度を有する。【選択図】図１
2014223127.tif 000002
【特許請求の範囲】
【請求項１】
フェース部を備えたパターヘッドであって、前記フェース部にはその中央領域に窪みが形成されており、前記フェース部がこの窪み内に装着されるフェースインサートを備えており、前記フェースインサートが、０．０３０〜０．０５５の範囲の損失正接（ｔａｎδ）を有する材料によって５０〜６３の範囲のショアＤ硬度を有するものであるパターヘッド。
【請求項２】
前記フェースインサートは、０．０３０〜０．０５５の範囲の損失正接（ｔａｎδ）を有する材料によって５４〜６３の範囲のショアＤ硬度を有する請求項１に記載のパターヘッド。
【請求項３】
前記フェースインサートは、０．０３０〜０．０５０の範囲の損失正接（ｔａｎδ）を有する材料によって５０〜６３の範囲のショアＤ硬度を有する請求項１に記載のパターヘッド。
【請求項４】
前記フェースインサートは、０．０３０〜０．０４０の範囲の損失正接（ｔａｎδ）を有する材料によって５０〜５７の範囲のショアＤ硬度を有する請求項１に記載のパターヘッド。
【発明の詳細な説明】
【技術分野】
【０００１】
本発明は、パターヘッドに関する。
【背景技術】
【０００２】
従来、ヘッド本体のフェース部に、ヘッド本体とは別の材料からなるフェースインサートを装着したパターヘッドが提案されている。例えば、特開２０１０−５７５３９号公報には、柔らかいボールの打感を維持しつつ、ボールの転がりを向上するため、ポリエステルエーテル系熱可塑性エラストマーにより形成されたフェースインサートを装着したパターヘッドが記載されている。また、特開２０１０−６３６６５号公報には、柔らかいボールの打感を維持しつつ、ボールの転がりを向上するため、ポリアミド系熱可塑性エラストマーにより形成されたフェースインサートを装着したパターヘッドが記載されている。
【先行技術文献】
【特許文献】
【０００３】
【特許文献１】特開２０１０−５７５３９号公報
【特許文献２】特開２０１０−６３６６５号公報
【発明の開示】
【発明が解決しようとする課題】
【０００４】
パターヘッドに樹脂製のフェースインサートを装着するのは、通常、フェースインサートによってボールの打感を軟らかくすることを目的としている。しかしながら、従来のポリアミド系熱可塑性エラストマーなどの樹脂製のフェースインサートを装着したパターヘッドでは、フェースインサートによって打感を柔らかくできる一方、反発係数が低くなってしまうという問題があった。
【０００５】
そこで本発明は、上記の問題点に鑑み、柔らかいボールの打感を維持しつつ、ボールに対する反発係数を向上させたパターヘッドを提供することを目的とする。
【課題を解決するための手段】
【０００６】
上記の目的を達成するために、本発明は、フェース部を備えたパターヘッドであって、前記フェース部にはその中央領域に窪みが形成されており、前記フェース部がこの窪み内に装着されるフェースインサートを備えており、前記フェースインサートは、０．０３０〜０．０５５の範囲の損失正接（ｔａｎδ）を有する材料によって５０〜６３の範囲のショアＤ硬度を有する。
【０００７】
前記フェースインサートは、０．０３０〜０．０５５の範囲の損失正接（ｔａｎδ）を有する材料によって５４〜６３の範囲のショアＤ硬度を有するようにしてもよい。
【０００８】
前記フェースインサートは、０．０３０〜０．０５０の範囲の損失正接（ｔａｎδ）を有する材料によって５０〜６３の範囲のショアＤ硬度を有するようにしてもよい。
【０００９】
前記フェースインサートは、０．０３０〜０．０４０の範囲の損失正接（ｔａｎδ）を有する材料によって５０〜５７の範囲のショアＤ硬度を有するようにしてもよい。
【発明の効果】
【００１０】
本発明によれば、フェースインサートを、所定の範囲の損失正接（ｔａｎδ）を有する材料によって所定の範囲のショアＤ硬度を有するように形成したので、柔らかいボールの打感を維持しつつ、ボールに対する反発係数を向上させることができる。
【図面の簡単な説明】
【００１１】
【図１】本発明に係るパターヘッドの一実施の形態を示す分解斜視図である。
【図２】実施例および比較例のショアＤ硬度とｔａｎδの関係を示すグラフである。
【図３】実施例および比較例のｔａｎδと反発係数の関係を示すグラフである。
【発明を実施するための形態】
【００１２】
以下、添付図面を参照して、本発明に係るパターヘッドの一実施の形態について説明する。図１は、本発明に係るパターヘッドの一実施の形態を示す分解斜視図である。
【００１３】
図１に示すように、本実施の形態のパターヘッド１０は、金属製のヘッド本体１２と、フェースインサート２０とから主に構成されている。ヘッド本体１２のフェース部には、その中央の領域において、窪み１４が形成されている。この窪み１４内にフェースインサート２０が嵌まることで、フェースインサート２０の表面がパターヘッド１０のフェース面の一部となる。
【００１４】
フェースインサート２０の材料としては、アイオノマー樹脂やウレタン樹脂を用いることが好ましい。これら樹脂を用いることで、０．０３０〜０．０５５の範囲の損失正接（ｔａｎδ）を有する材料により、５０〜６３の範囲のショアＤ硬度を有するフェースインサート２０を得ることができる。
【００１５】
ここで、損失正接（ｔａｎδ）とは、損失弾性率を貯蔵弾性率で割った値で示され、動的粘弾性率とも呼ばれるものである。このｔａｎδは、市販の測定装置、例えば、ティー・エイ・インスツルメント社製の動的粘弾性測定装置（ＤＭＡ  Ｑ８００）で測ることができる。測定条件として、試験片は、幅３ｍｍ×厚さ１ｍｍ×長さ２０ｍｍ（この長さは、実際に測定する部分の長さであり、両端の挟持する部分を含まない）の寸法とする。初期歪みは０．１Ｎ、振幅は１％、周波数は１５Ｈｚとする。−１００℃から８０℃までの温度範囲にわたり３℃／分の昇温速度で測定を行い、２３℃での値を採用する。
【００１６】
フェースインサート２０に用いる材料のｔａｎδは、０．０３０〜０．０５０の範囲が好ましく、０．０３０〜０．０４０の範囲がより好ましい。フェースインサート２０のショアＤ硬度は、ｔａｎδが０．０３０〜０．０５５の範囲の場合、５４〜６３の範囲が好ましい。また、フェースインサート２０のショアＤ硬度は、ｔａｎδが０．０３０〜０．０５０の範囲の場合、５０〜６３の範囲が好ましい。さらに、フェースインサート２０のショアＤ硬度は、ｔａｎδが０．０３０〜０．０４０の範囲の場合、５０〜５７の範囲が好ましい。
【００１７】
アイオノマー樹脂としては、特に限定されないが、例えば、以下の（ａ）成分及び／又は（ｂ）成分をベース樹脂とするものを用いることができる。また、このベース樹脂には、任意に、以下の（ｃ）成分を添加することができる。（ａ）成分は、オレフィン−不飽和カルボン酸−不飽和カルボン酸エステル３元ランダム共重合体及び／又はその金属塩、（ｂ）成分は、オレフィン−不飽和カルボン酸２元ランダム共重合体及び／又はその金属塩、（ｃ）成分は、ポリオレフィン結晶ブロック、ポリエチレン／ブチレンランダム共重合体を有する熱可塑性ブロックコポリマーである。
【００１８】
（ａ）成分および（ｂ）成分中のオレフィンとしては、例えば炭素数２以上、上限として８以下、特に６以下のオレフィンを挙げることができる。より具体的には、エチレン、プロピレン、ブテン、ペンテン、ヘキセン、ヘプテン、オクテン等が挙げられ、特にエチレンが好適である。また、（ａ）成分および（ｂ）成分中の不飽和カルボン酸としては、例えばアクリル酸、メタクリル酸、マレイン酸、フマル酸等を挙げることができる。更に、（ａ）成分中の不飽和カルボン酸エステルとしては、上述した不飽和カルボン酸の低級アルキルエステル等が挙げられ、具体的には、メタクリル酸メチル、メタクリル酸エチル、メタクリル酸プロピル、メタクリル酸ブチル、アクリル酸メチル、アクリル酸エチル、アクリル酸プロピル、アクリル酸ブチル等である。
【００１９】
アイオノマー樹脂の中でも高中和アイオノマー樹脂がより好ましい。高中和アイオノマー樹脂とは、成分中のカルボン酸の金属イオン中和度が、通常７５モル％以上、好ましくは８０モル％以上、より好ましくは８５モル％以上であるアイオノマー樹脂のことをいう。この中和度は、（ａ）成分や（ｂ）成分中の酸基を中和する中和剤を添加することで調整することができる。中和剤としては、酸化マグネシウム、水酸化マグネシウム、炭酸マグネシウム、酸化亜鉛、水酸化ナトリウム、炭酸ナトリウム、酸化カルシウム、水酸化カルシウム、水酸化リチウム、炭酸リチウム等の塩基性無機金属化合物が挙げられる。
【００２０】
ウレタン樹脂としては、熱可塑性ポリウレタンを用いることが好ましい。熱可塑性ポリウレタンの構造は、長鎖ポリオールである高分子ポリオールからなるソフトセグメントと、鎖延長剤及びポリイソシアネート化合物からなるハードセグメントとを含む。長鎖ポリオールとしては、特に制限されないが、例えば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオール等を１種または複数種を使用することができる。
【００２１】
鎖延長剤としては、特に限定されないが、例えば、１，４−ブチレングリコール、１，２−エチレングリコール、１，３−ブタンジオール、１，６−ヘキサンジオール、２，２−ジメチル−１，３−プロパンジオール等を用いることが好ましい。また、ポリイソシアネート化合物としては、特に限定されないが、例えば、４，４’−ジフェニルメタンジイソシアネート、２，４−（又は）２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は複数種を使用することができる。
【００２２】
フェースインサート２０は、上述した所定の材料の一層構造にすることが好ましい。また、フェースインサート２０の形状は、図１に示す長方形に限定されず、その他、楕円形、５角形、６角形などの多角形にしても良い。フェースインサート２０の厚さは、約０．５ｍｍ以上にすることが好ましく、約１．０ｍｍ以上にすることがより好ましい。一方、フェースインサート２０の厚さは、約６ｍｍ以下にすることが好ましく、約５ｍｍ以下にすることがより好ましい。フェースインサート２０は均一な厚さにすることが好ましい。また、フェースインサート２０のフェース面となる表面は、平らとすることが好ましい。
【００２３】
一方、ヘッド本体１２の材質としては、例えば、ステンレススチール、アルミニウム、アルミニウム合金、真鍮、銅、チタン合金、亜鉛、炭素繊維強化樹脂等を挙げることができるが、これらに限定されるものではない。
【実施例】
【００２４】
表１および図２に示す異なるｔａｎδを有するポリアミド、ウレタン、アイオノマーの各材料を使って、異なるショアＤ硬度を有するフェースインサートを作製した。そして、これをヘッド本体に装着してパターヘッドを作製し、さらにこれを用いてパターを作製した。フェースインサートの高さは２０ｍｍ、幅は５０ｍｍ、厚さは４ｍｍ、重さは４ｇとした。ヘッド本体の材質はアルミニウム合金とし、パターヘッドの重さは３４０ｇとした。シャフトの材質はスチールとし、クラブ重量は５０５ｇとした。
【００２５】
【表１】
2014223127.tif 000003
【００２６】
また、これら各材料を用いたフェースインサートの反発係数を測定した。反発係数は、東洋精機社のレジリエンステスターを用いて測定した。その結果を図３に示す。
【００２７】
通常、硬い材料の方が反発係数が高くなる傾向があるものの、図３に示すように、材料の硬さにかかわらず、ｔａｎδが低い程、反発係数が高くなる傾向が概ねあることがわかる。よって、ｔａｎδが０．０５５以下の材料を用いて所定の硬度を有するフェースインサートを作成することで、柔らかいボールの打感を維持しつつ、ボールに対する反発係数を向上させたパターヘッドを提供することができる。特に、アイオノマーＡや、アイオノマーＥ、アイオノマーＦではショアＤ硬度を５７以下とする柔らかい打感と、反発係数を０．８６０以上とする高反発性とを両立することができた。また、アイオノマーＣ、アイオノマーＤ、アイオノマーＩ、ウレタンＢではショアＤ硬度を５４〜６３と比較的に広い範囲にしても、反発係数を０．８６０以上とすることができた。ウレタンＢも柔らかい打感と高い反発性の両方を得ることができたが、材料としてはアイオノマーが好ましい。これは、換言すれば、ｔａｎδは０．０５５以下で所定の反発係数を得ることができるが、０．０５０以下がより好ましいと言える。なお、アイオノマーＡ、アイオノマーＤ、アイオノマーＦが、高中和アイオノマー樹脂である。
【００２８】
また、ショアＤ硬度は大きく異なるが反発係数は比較的に近いアイオノマーＡ及びウレタンＡのフェースインサートを用いた各パターについて、実際に３名のゴルファーにボールを打ってもらい、打感を評価してもらった。その結果、アイオノマーＡのフェースインサートについて、接触時間長い、フェースが撓むのを感じる、くっつき感があって良いとの評価が得られた。なお、この際のボールの初速は、２．８８〜２．８９ｍ／ｓで、ボールの距離は５４３〜５５８ｃｍであった。一方、ウレタンＡのフェースインサートについては、硬い、音高い、距離感合う、硬くて転がるとの評価が得られた。なお、この際のボールの初速は、２．８６〜２．８８ｍ／ｓで、ボールの距離は５４６〜５５９ｃｍであった。
【符号の説明】
【００２９】
１０  パターヘッド
１２  ヘッド本体
１４  窪み
２０  フェースインサート
３０  パター
【図１】
2014223127.tif 000004
【図２】
2014223127.tif 000005
【図３】
2014223127.tif 000006